(57)【特許請求の範囲】
【請求項１】
絶縁性材料からなる板部を備え、長辺が前記板部の板面に平行な状態の細長形状の複数個の固定接点端子が、前記細長形状の長辺部分において前記板部の前記板面に取り付けられると共に、前記板部の前記板面に取り付けられた前記複数個の固定接点端子のそれぞれを分離するような前記板部の前記板面の位置に第１の係合部が設けられた電磁継電器本体と、
前記電磁継電器本体が挿入されるものであって、前記電磁継電器本体が挿入されたときに前記板部の前記板面側と対面する内壁面に、前記第１の係合部と係合する第２の係合部が設けられたカバーと
からなる電磁継電器において、
前記第１の係合部は、前記板部の前記板面において、前記電磁継電器本体のコイルの巻枠の中心軸線方向に延伸して形成されると共に、前記板部の、前記巻枠の中心軸線方向に平行な方向の高さは、前記固定接点端子が取り付けられる部位では、前記固定接点端子に設けられる固定接点と前記板部の端縁とが離間するように、低いものとされるが、前記第１の係合部が形成される部位では、前記固定接点の位置よりも高いものとされる
ことを特徴とする電磁継電器。
【請求項２】
請求項１に記載の電磁継電器において、
前記板部の前記第１の係合部が形成される部位の、前記固定接点の位置よりも高いものとされた部分には、前記巻枠の中心軸線方向と直交する方向を深さ方向として、前記巻枠の中心軸線方向に平行に延伸する溝が設けられ、
前記溝に固定接点端子またはバックストップ金属が挿入されて固定されている
ことを特徴とする電磁継電器。
【請求項３】
請求項１または請求項２に記載の電磁継電器において、
前記電磁継電器本体は、電磁石組立に接極子組立を組み合わせた本体組立と、前記板部を構成する端子板に前記複数個の固定接点端子を取り付けた端子板組立とを嵌合させたものであり、
前記電磁石組立のコイルは、互いに対向する２個の鍔部を有する巻枠の鍔部間に巻回され、前記２個の鍔部の一方の鍔部には、その周縁から突出する第１の係止部が設けられ、前記２個の鍔部の他方の鍔部には、前記コイルが巻回された側とは反対の面側に第２の係止部が設けられ、
前記端子板は、前記一方の鍔部と、前記他方の鍔部とを橋渡しするように配置され、
前記端子板の第１の係合部が形成された前記板面とは反対面側に前記一方の鍔部の前記第１の係止部と嵌合する第１の嵌合部が設けられると共に、前記他方の鍔部の第２の係止部と嵌合する第２の嵌合部が設けられた
ことを特徴とする電磁継電器。
【発明の詳細な説明】
【０００１】
【発明の属する技術分野】
この発明は、例えばプリント配線基板に装着可能な小型の電磁継電器として好適な電磁継電器に関する。
【０００２】
【従来の技術】
この種の小型の電磁継電器は、従来、一般には、次のような構造を備えている。すなわち、例えば、円筒部の両側に鍔（フランジ）部を備える形状を有する樹脂からなる巻枠に巻線を施して巻線組立を形成する。巻枠１の中心軸位置には、鉄心３が挿入される。鍔部から露呈する鉄心の頭部は、接極子を電磁石により磁気的に吸引するための部分となる。
【０００３】
そして、巻枠の軸方向の長さにほぼ等しい長さの板部を有する形状の継鉄が、巻枠の両側の鍔部に渡るような状態で、巻枠に対して取り付けられる。この継鉄の板部には、可動接点ばねが取り付けられる。この可動接点ばねは、鉄心の頭部が位置する鍔部側において、継鉄に対してほぼ直交する方向に折り曲げられた形状を備え、その折り曲げられた部分の、前記鉄心の頭部に対向する面側に、矩形の鋼板からなる接極子が取り付けられる。さらに、可動接点ばねは、接極子の板面方向に平行な方向に突出する部分を備え、その突出部分に可動接点が形成されている。
【０００４】
また、所定の幅の細板をＬ字型に折り曲げ、その折り曲げた先端部に接点が設けられている形状のブレイク固定接点端子およびメイク固定接点端子が、巻枠の鍔部に設けられた溝に圧入嵌合されて取り付けられる。これにより、固定接点端子が、巻枠に対して固定されている。
【０００５】
ところで、上述のような構造の従来の電磁継電器の場合、ブレイク固定接点端子およびメイク固定接点端子が、樹脂製の巻枠に対して直接的に固定されているため、次のような問題が生じるおそれがあった。
【０００６】
すなわち、電磁継電器の巻線にドライブ電流が流れて、可動接点と、メイク接点とが接続される動作中において、故障などにより可動接点およびメイク接点を通じて過大電流が流れると、ドライブ電流によるコイル発熱に加えて、可動接点ばね、固定接点端子などの導体部の発熱のため、樹脂からなる巻枠が溶解し、可動接点をメイク接点に接続する「オンモード」のまま固着されてしまう。そのため、その後、巻線の層間ショート（コイルレアショート）が生じても、可動接点はブレイク接点に接続する状態には戻らず、可動接点がメイク接点に接続された状態のままとなる。
【０００７】
このような故障が電磁継電器に生じた場合に、その故障時のモードが「オンモード」であると、メイク接点を通じて過大電流が流れ続け、他の故障を引き起こすおそれがある。
【０００８】
また、上述した従来の電磁継電器の場合、ブレイク固定接点端子およびメイク固定接点端子は、巻枠の鍔部に設けた溝に圧入嵌合されるが、この圧入嵌合の際に、例えば銅合金からなる固定接点端子が巻枠を構成する樹脂を削り、その削り屑が発生する。そして、その削り屑は付近に巻散る。この圧入嵌合部の近傍には、可動接点、ブレイク接点、メイク接点の接点組が存在するため、巻散った削り屑が接点間に介在することがあり、その場合には、接点間の接触不良障害が生じるおそれがある。
【０００９】
以上のような問題を解決する電磁継電器として、出願人は、先に、巻枠に巻線が施された巻線組立と鉄心と継鉄とで構成される電磁石組立に、可動接点ばねおよび接極子を組み合わせて結合した本体組立と、固定接点端子を端子板に取り付けた端子板組立とを、別部材とし、これら本体組立と端子板組立とを嵌合されて電磁継電器本体を構成するようにしたものを提供している（特開平１０−１６２７１２号公報参照）。
【００１０】
すなわち、図１６は、先に提供した電磁継電器の概要を説明する図である。図の例の電磁継電器は、図１６（Ａ）に示す本体組立１と、図１６（Ｂ）に示す端子板組立２とを組み合わせて、図１６（Ｄ）に示す電磁継電器本体３を形成するものである。図の例では、２個の本体組立１が端子板組立２と組み合わされて、電磁継電器本体３が形成される。電磁継電器本体３は、図１６（Ｃ）に示すカバー４内に収納される。そして、カバー４の開口部がシール剤でシールされて、電磁継電器が完成となる。
【００１１】
本体組立１は、電磁石組立２０と、接極子組立３０とからなる。電磁石組立２０は、巻線組立１０に鉄心（図示せず）と、継鉄２１とが装着して構成される。巻線組立１０は、両端部に矩形板状の鍔部１１ａおよび１１ｂを備える樹脂からなる巻枠１１に、巻線１３が施されると共に、例えば銅合金製の巻線端子１２ａおよび１２ｂが装着されたものである。
【００１２】
鍔部１１ａには、その板面から直交する方向に突出する突部１１ｃが形成されている。この突部１１ｃは、端子板組立２と嵌合するときの係止部材としての役割を果たすものである。また、鍔部１１ｂには、後述するように、端子板組立２と嵌合するときの係止部材としての突部１１ｄが設けられている。この突部１１ｄは、鍔部１１ｂの上面から巻線巻回部の中心軸線方向に平行な方向に突出するものである。
【００１３】
接極子組立３０は、弾性を有する導体、例えば銅合金で構成され、概略Ｌ字状の形状を有する可動接点ばね３１に、鋼の矩形状板で構成される接極子３２を取り付けたものである。
【００１４】
一方、端子板組立２は、図１７（Ａ）に示す端子板４０に、図１７（Ｂ）に示すメイク固定接点端子（以下、Ｍ固定接点端子という）５０と、図１７（Ｃ）に示すブレイク固定接点端子（以下、Ｂ固定接点端子という）６０とが嵌合されて図１７（Ｄ）に示すようにものとして形成される。
【００１５】
端子板４０は、樹脂の一体成型により薄板状に形成されたもので、その具体的な形状および構造を図１８および図１９を参照して説明する。
【００１６】
図１８（Ａ）は、この端子板４０をＭ固定接点端子５０およびＢ固定接点端子６０の嵌合挿入側の面４０ａ（図１７（Ａ）に示した面４０ｂとは反対側）から見た正面図である。図１８（Ｂ）は、この端子板４０の側面図、図１８（Ｃ）は、この端子板４０の上面図である。
【００１７】
また、図１８（Ｄ）は図１８（Ａ）におけるＤ−Ｄ断面図、図１８（Ｅ）は図１８（Ａ）におけるＥ−Ｅ断面図、図１８（Ｆ）は図１８（Ａ）におけるＡ−Ａ断面図、図１８（Ｇ）は図１８（Ａ）におけるＢ−Ｂ断面図、図１８（Ｈ）は図１８（Ａ）におけるＣ−Ｃ断面図、図１８（Ｉ）は図１８（Ｂ）におけるＦ−Ｆ断面図である。
【００１８】
また、図１９（Ｂ）は、端子板４０を本体組立１と嵌合される面４０ｂ側から見た図であり、図１９（Ａ）は、そのＧ−Ｇ断面図である。
【００１９】
図１８（Ａ）に示すように、端子板４０には、Ｍ固定接点端子５０およびＢ固定接点端子６０に設けられる後述する嵌合突板部が圧入嵌合される嵌合凹部４１、４２、４３、４４、４５が設けられる。これら嵌合凹部４１〜４５は、図１８（Ｄ），（Ｅ），（Ｆ），（Ｇ），（Ｈ）に示すように、袋小路の凹部である。この例の場合、嵌合凹部４１および４４は、Ｍ固定接点端子５０の嵌合用であり、嵌合凹部４２、４３および４５は、Ｂ固定接点端子６０の嵌合用である。
【００２０】
また、この端子板４０の面４０ｂ側には、本体組立１と嵌合するための嵌合部が形成されている。すなわち、この面４０ｂ側には、本体組立１の巻線１３の部分が位置する凹部４６ａ、４６ｂが形成されると共に、図１８（Ｇ）および図１９に示すように、図１６に示した巻枠１１の鍔部１１ｂに設けられた突部１１ｄが嵌合される凹部４７が形成されている。
【００２１】
端子板４０の主要な板部の高さｈは、巻枠１１の高さ（鍔部１１ｃの底部から鍔部１１ｂの上面までの長さ）よりも短いものとされて、後述もするように、可動接点や固定接点が位置する部分には、この端子板４０の前記嵌合凹部４１〜４５が形成される主要な板部は位置しないようにされている。このため、端子板４０には、その主要な板部から板面方向に突出する突部４８に設けられ、前記凹部４７は、この突部４８に設けられている。
【００２２】
また、端子板４０の面４０ｂ側には、巻枠１１の鍔部１１ａ側に設けられた突部１１ｃが嵌合する透孔４９ａを備える嵌合突片４９が設けられる。この嵌合突片４９は、薄いコ字状の板状片が端子板４０の高さ方向の底部４０ｃから、端子板４０の板面に直交する方向に突出するように設けられたもので、この嵌合突片４９の板面方向に直交する方向に弾性偏倚が可能である。
【００２３】
さらに、端子板４０の面４０ｂ側には、図１８（Ｆ），（Ｇ），（Ｈ）および（Ｉ）に示すように、この嵌合突片４９の上面と同一面を有する凹部４０ｄが設けられている。この凹部４０ｄには、本体組立１を端子板組立２に嵌合するとき、巻線１３の巻き始め端と巻き終わり端が接続される巻線端子の巻線端部接続部が入り込むようになる。
【００２４】
この端子板４０に嵌合されるＭ固定接点端子５０およびＢ固定接点端子６０は、詳細には、図２０および図２１に示すようなものである。
【００２５】
すなわち、図２０（Ａ），（Ｂ），（Ｃ）は、それぞれＭ固定接点端子５０の上面図、正面図、側面図である。また、図２１（Ａ），（Ｂ），（Ｃ）は、それぞれＢ固定接点端子６０の上面図、正面図、側面図である。
【００２６】
これら図２０および図２１に示すように、Ｍ固定接点端子５０およびＢ固定接点端子６０は、端子板４０に嵌合したときに、端子板４０の板面に沿う板部５０ａおよび６０ａを備える。そして、この板部５０ａおよび６０ａの延長部分として、端子板４０の底部４０ｃから、端子板４０の板面方向に突出する外部端子部５１および６１が、それぞれ形成されている。
【００２７】
そして、Ｍ固定接点端子５０およびＢ固定接点端子６０の板部５０ａおよび６０ａそれぞれの、外部端子部５１および６１とは反対側は、板部５０ａおよび６０ａに直交する方向に折り曲げられた板部５０ｂおよび６０ｂとされており、この板部５０ｂおよび６０ｂには、それぞれＭ固定接点５２、５３およびＢ固定接点６２、６３が設けられている。
【００２８】
そして、板部５０ａおよび６０ａにおいて、接点５２、５３および６２、６３が形成されている板部５０ａおよび５０ｂよりも外部端子部５１および６１側に離れた位置には、前記端子板４０の嵌合凹部４１〜４５に圧入嵌合される嵌合突板部５４、５５および６４、６５、６６が、板部５０ａおよび６０ａに直交する方向に設けられる。
【００２９】
そして、Ｍ固定接点端子５０の嵌合突板部５４、５５が、端子板４０の嵌合凹部４１、４４に圧入嵌合されることにより、端子板４０にＭ固定接点端子５０が固定される。同様に、Ｂ固定接点端子６０の嵌合突板部６４、６５、６６が、端子板４０の嵌合凹部４２、４３、４５に圧入嵌合されることにより、端子板４０にＢ固定接点端子６０が固定される。その固定された状態を、図２２に示す。
【００３０】
このとき、図２２に示すように、Ｍ固定接点端子５０の一部と、Ｂ固定接点端子６０との一部は、嵌合凹部４４のところで、交差するようになるが、嵌合凹部４４に嵌合するＭ固定接点端子５０の嵌合突板部５５は、図１７に示すようにコ字状に形成されると共に、Ｍ固定接点端子５０の板部５０ｂの対応する部分は、図１７および図２０（Ａ）に示すように、抉られているので、Ｂ固定接点端子６０と接触せず、電気的に分離されている。
【００３１】
また、Ｍ固定接点５２、５３と、Ｂ固定接点６２、６３とは、図１７（Ｄ）および図２２に示すように、外部端子部５１、６１の延長方向に平行な方向に、所定距離だけ離れた状態になる。また、端子板４０の嵌合凹部４４と、端子板４０の突部４８を除く主要板部の高さ方向の端縁４０ｅまでの距離ｈ１よりも、Ｍ固定接点端子５０の嵌合突板部５５と、Ｍ固定端子５２、５３が形成されている板部５０ｂまでの距離ｈ２の方が大きく（ｈ１＜ｈ２）選定されているため、Ｍ固定接点端子５０の板部５０ｂと端子板４０の主要板部の端縁４０ｄとは、端子板４０の高さ方向に離れた状態にある。
【００３２】
したがって、Ｍ固定端子５２、５３およびＢ固定端子６２、６３の高さ位置近傍には、樹脂からなる端子板４０の部分は、突部４８を除いては存在しない。つまり、電磁継電器の動作中に可動接点とＭ固定接点を通じて過大電流が流れて、発熱しても、接点部近傍には、これらを固着してしまうような端子板４０の樹脂がほとんど存在しない。
【００３３】
また、端子板４０へのＭ固定接点端子５０およびＢ固定接点端子６０の圧入嵌合時、嵌合突板部５４、５５および嵌合突板部６４、６５、６６が嵌合凹部４１〜４５内の部分を削るために、その削り屑が発生する場合があるが、嵌合凹部４１〜４５は、袋小路になっているために、その削り屑は嵌合凹部４１〜４５内に留まり、外部に巻散る心配はない。したがって、削り屑が接点部に付着して、接点部不良を生じるおそれがほとんどなくなる。
【００３４】
【発明が解決しようとする課題】
ところで、可動接点が、Ｍ固定接点とＢ固定接点とに交互に切り換わる際には、接点金属の衝突、磨耗によって、金属屑が飛び散ることがある。複数の固定接点端子の金属板部が、外部に露呈していない場合、また、複数の固定接点端子の間に十分な空間が存在する場合には、前記金属屑によって、複数の固定接点端子間が短絡されてしまうような心配はない。
【００３５】
しかしながら、上述の電磁継電器の場合は、図２２に示したように、Ｍ固定接点端子５０およびＢ固定接点端子６０は、端子板４０の一面４０ａ側に露呈するとともに、この面４０ａに、Ｍ固定接点端子５０およびＢ固定接点端子６０の金属板面がほぼ密着している状態となる。
【００３６】
このため、それら複数の固定接点端子の金属板部の間隔が短いときには、その間隔部分に前記金属屑が蓄積されて短絡されて、それら複数の固定接点端子間が短絡されてしまうおそれがある。
【００３７】
この発明は、金属接点同士の衝突に伴い発生する金属屑によって生じるおそれある問題点を回避することができる電磁継電器を提供することを目的とする。
【００３８】
【課題を解決するための手段】
前記課題を解決するため、この発明による電磁継電器は、
絶縁性材料からなる板部を備え、長辺が前記板部の板面に平行な状態の細長形状の複数個の固定接点端子が、前記細長形状の長辺部分において前記板部の前記板面に取り付けられると共に、前記板部の前記板面に取り付けられた前記複数個の固定接点端子のそれぞれを分離するような前記板部の前記板面の位置に第１の係合部が設けられた電磁継電器本体と、
前記電磁継電器本体が挿入されるものであって、前記電磁継電器本体が挿入されたときに前記板部の前記板面側と対面する内壁面に、前記第１の係合部と係合する第２の係合部が設けられたカバーと
からなる電磁継電器において、
前記第１の係合部は、前記板部の前記板面において、前記電磁継電器本体のコイルの巻枠の中心軸線方向に延伸して形成されると共に、前記板部の、前記巻枠の中心軸線方向に平行な方向の高さは、前記固定接点端子が取り付けられる部位では、前記固定接点端子に設けられる固定接点と前記板部の端縁とが離間するように、低いものとされるが、前記第１の係合部が形成される部位では、前記固定接点の位置よりも高いものとされる
ことを特徴とする。
【００３９】
【作用】
上述の構成によるこの発明による電磁継電器においては、絶縁性材料からなる板部には、複数個の固定接点端子の各々を分離するように突出させたものであって、その突出した端面が、電磁継電器本体がカバー内に挿入されたときに、カバーの内壁面に当接する突条が設けられている。
【００４０】
これにより、電磁継電器本体がカバー内に挿入されて形成された電磁継電器においては、絶縁性材料からなる板部に対して固定された複数の固定接点端子の金属板部のそれぞれは、端子板の突条とカバーの内壁とにより、空間的に隔絶された状態になる。
【００４１】
したがって、可動接点が固定接点と接触することにより発生する金属屑が、複数個の固定接点端子の金属板部間を橋渡しして短絡させるような状態になることはない。
【００４２】
【発明の実施の形態】
以下、この発明による電磁継電器の実施の形態を、その組立方法と共に、図を参照しながら説明する。
【００４３】
図１は、この実施の形態の電磁継電器の概要を説明する図である。この実施の形態の電磁継電器は、図１（Ａ）に示す本体組立１００と、図１（Ｂ）に示す端子板組立２００とを組み合わせて、図１（Ｄ）に示す電磁継電器本体３００を形成するものである。電磁継電器本体３００は、図１（Ｃ）に示すカバー４００内に収納される。そして、カバー４００の開口部がシール剤でシールされて、電磁継電器が完成となる。
【００４４】
この例の電磁継電器は、１個の電磁石で、２個の接点組の開閉制御をする場合である。そして、この例では、図１（Ｄ）に示すように、１個の電磁石で、２個の可動接点を同時に駆動して、２個のメイク固定接点に対する開閉を行なう。この例では、ブレイク固定接点は存在しない。
【００４５】
なお、この例では、ブレイク固定接点が設けられるブレイク固定接点端子が存在しない代わりに、可動接点ばねの可動接点の、電磁石が非励磁のときの位置規制用として、金属製のバックストップが設けられる。
【００４６】
［本体組立１００について］
本体組立１００は、後で詳述する図４（Ｄ）および図５（Ｄ）に示す電磁石組立１２０と、図５（Ｃ）に示す接極子組立１３０とからなる。電磁石組立１２０は、図４に示すように、巻線組立１１０（図２（Ｃ）および図４（Ｃ））と、鉄心１２１（図４（Ａ））と、継鉄１２２（図４（Ｂ））とからなる。
【００４７】
巻線組立１１０（図２（Ｃ）および図４（Ｃ））は、図２（Ａ）に示す巻枠１１１に、例えば銅の合金の板状体からなる巻線端子１１２を嵌合させたものである。巻枠１１１は、絶縁性の例えば樹脂からなり、円筒状の巻線巻回部１１１ａの両端部に矩形板状の鍔部１１１ｂ，１１１ｃをそれぞれ備えたものである。
【００４８】
鍔部１１１ｂ、１１１ｃには、鉄心１２１を挿入するため、円筒状の巻線巻回部１１１ａの中空部に連通する孔が穿かれている。また、鍔部１１１ｃには、巻線端子１１２ａ，１１２ｂが嵌合される嵌合溝１１１ｄ，１１１ｅが形成されている。
【００４９】
鍔部１１１ｃは、カバー４００に電磁継電器本体３００を挿入したときに、電磁継電器本体３００の各部に電気的に接続されている複数本の外部端子が導出される外部端子板の一部としての役割も有する。また、鍔部１１１ｃには、後述するように、継鉄１２２が挿入される凹部１１１ｋが、その板面方向に沿って形成されている。
【００５０】
さらに、鍔部１１１ｃには、その底面から巻線巻回部１１１ａの中心軸線方向に平行な方向に突出する突部１１１ｆが形成されている。また、鍔部１１１ｂには、この鍔部１１１ｂの上面から巻線巻回部１１１ａの中心軸線方向に平行な方向に突出する突部１１１ｇが設けられている。これらの突部１１１ｆおよび１１１ｇは、後述するように、端子板組立２００と嵌合するときの係止部材としての役割を果たすものである。
【００５１】
図３（Ａ）は、巻枠１１１を、その鍔部１１１ｂ側から見た上面図、図３（Ｂ）は、巻枠１１１の側面図、図３（Ｃ）は、巻枠１１１を、その鍔部１１１ｃ側から見た底面図である。図３において、１１１ｈは、鉄心１２１が挿入される貫通孔である。また、１１１ｉおよび１１１ｊは、後述する可動接点端子が挿通嵌合される凹部である。
【００５２】
図２に示す巻線端子１１２は、例えば銅の合金で構成されたもので、鍔部１１１ｃに設けられている嵌合溝１１１ｄ，１１１ｅに嵌合する嵌合部１１２ａ，１１２ｂと、この嵌合部１１２ａ，１１２ｂにより、巻線端子１１２が鍔部１１１ｃに嵌合されたときに、図１（Ａ）に示すように、鍔部１１１ｃから鍔部１１１ｂとは反対側に導出される巻線外部端子部１１２ｃ，１１２ｄと、巻線の一端および他端が接合される突起部１１２ｅ，１１２ｆからなる。
【００５３】
突起部１１２ｅ，１１２ｆは、嵌合溝１１１ｄ，１１１ｅに巻線端子１１２が嵌合された後、鍔部１１１ｃの凹部１１１ｍ、１１１ｎ（図３（Ａ））のところで、巻線巻回部１１１ａ側に折り曲げられる。図２（Ｂ）に示された巻線端子１１２の枠部１１２ｇは、巻枠１１１に巻線端子１１２が嵌合された後に、切除される。
【００５４】
そして、巻枠１１１の巻線巻回部１１１ａに、図２（Ｃ）に示すように、巻線１１３が施される。巻線１１３の巻き始め端と巻き終わり端は、それぞれ巻線端子１１２の突部１１２ｅ，１１２ｆに接続されて、電気的に巻線外部端子部１１２ｃ，１１２ｄに接続される。
【００５５】
以上のようにして形成された巻線組立１１０に対して、図４に示すように、鉄心１２１と、継鉄１２２とが取り付けられて、図４（Ｄ）に示すような電磁石組立１２０が形成される。
【００５６】
鉄心１２１は、例えば鋼で構成され、巻枠１１１の鍔部１１１ｂ側から、円筒状巻線巻回部１１１ａの中空部内に挿入される。継鉄１２２は、例えば鋼の板をＬ字型に曲げたもので、巻枠１１１の鍔部１１１ｃに設けられている凹部１１１ｋに挿入される板部１２２ａと、長さが鍔部１１１ｃから鍔部１１１ｂにまで渡る板部１２２ｂとを備える。板部１２２ａには、これを鍔部１１１ｃ内に挿入したときに、巻線巻回部１１１ａの中空部に連通する透孔１２２ｃが穿かれている。
【００５７】
巻枠１１１に継鉄１２２の板部１２２ａを差し込んだ状態で、鉄心１２１を巻枠１１１に挿入すると、鉄心１２１の先端の径が小さい部分１２１ａが、継鉄１２２の透孔１２２ｃを通じて、また、鍔部１１１ｃの対応する位置に穿かれている孔を通じて、外部に露呈する。そして、この鉄心１２１の前記径が小さい部分１２１ａの頭部を、かしめて、鉄心１２１を巻枠１１１に固定する。これにより、継鉄１２２も巻枠１１１に固定される。
【００５８】
継鉄１２２が巻枠１１１に固定された状態では、図４（Ｄ）に示すように、継鉄１２２の板部１２２ｂは、巻枠１１１の鍔部１１１ｂと鍔部１１１ｃとの間を橋渡しする状態となる。そして、この板部１２２ｂには、後述する可動接点ばね１３１を取り付けるための、かしめ部１２２ｄ，１２２ｅが設けられている。
【００５９】
以上のようにして、図４（Ｄ）に示すような電磁石組立１２０が形成され、この電磁石組立１２０に対して、図５に示すように、接極子組立１３０が取り付けられて、本体組立が形成される。
【００６０】
すなわち、図５（Ａ）は、弾性を有する導体、例えば銅合金で構成され、概略Ｌ字状に折り曲げられた可動接点ばね１３１を示す。この可動接点ばね１３１は、継鉄１２２の板部１２２ｂに取り付けられる板部１３１ａと、この板部１３１ａに対してほぼ直交する方向に曲げられた板部１３１ｂとを備える。
【００６１】
この例の電磁継電器においては、板部１３１ｂはＹ字状に分岐され、そのＹ次状分岐部分の先端に、それぞれ可動接点１３１ｃおよび１３１ｄが形成される。一方、板部１３１ａからは、電磁石組立１２０（図５（Ｄ））に取り付けたときに、巻枠１１１の鍔部１１１ｃから巻線外部端子部１１２ｃ，１１２ｄと同方向に突出する可動接点外部端子部１３１ｅおよび１３１ｆが延長されて設けられている。また、可動接点ばね１３１の板部１３１ａには、電磁石組立１２０の継鉄１２２の板部１２２ｂのかしめ部１２２ｄ，１２２ｅが係合される透孔１３１ｇ，１３１ｈが形成されている。
【００６２】
接極子１３２は、図５（Ｂ）に示すようなもので、例えば鋼の矩形状板で構成される。この接極子１３２は、可動接点ばね１３１の板部１３１ｂに対して、図５（Ｃ）に示すように、板部１３１ｂの２個の可動接点１３１ｃおよび１３１ｄが形成されている部分は、接極子１３２よりも、さらに突出するような状態で、この例では、かしめにより固定される。このため、接極子１３２には、この例では３個のかしめ部１３２ａ，１３２ｂ，１３２ｃが形成されると共に、可動接点ばね１３１の板部１３１ｂには、これらかしめ部１３２ａ，１３２ｂ，１３２ｃに対応する位置に透孔１３１ｉ（図示せず），１３１ｊ，１３１ｋが穿かれている。
【００６３】
以上のようにして、可動接点ばね１３１に接極子１３２が固定されることにより、接極子組立１３０が形成される。そして、この接極子組立１３０の可動接点ばね１３１の板部１３１ａの透孔１３１ｇ，３１ｈ内に、図５（Ｄ）に示す電磁石組立１２０の継鉄１２２の板部１２２ｂのかしめ部１２２ｄ，１２２ｅが挿入され、かしめ部１２２ｄ，１２２ｅの頭部が、かしめられて、接極子組立１３０が電磁石組立１２０に取り付けられる。
【００６４】
こうして、図５（Ｅ）に示す本体組立１００が形成される。この本体組立１００においては、２個の可動接点１３１ｃおよび１３１ｄが形成されている可動接点ばね１３１の先端部は、継鉄１２２が存在する側とは反対側の部分に突出する状態となる。
【００６５】
［端子板組立２００について］
端子板組立２００は、図６（Ａ）に示す端子板２１０に、図６（Ｃ）に示す２個のメイク固定接点端子（以下、Ｍ固定接点端子という）２３０，２４０と、図６（Ｂ）に示すバックストップ２５０とが嵌合されて図６（Ｄ）に示すようにものとして形成される。
【００６６】
端子板２１０は、樹脂の一体成型により薄板状に形成されたもので、その具体的な形状および構造を図７、図８および図９を参照して説明する。これらの図において、端子板２１０の高さ方向は、巻枠１１１の巻線巻回部１１１ａの中心軸線方向に平行な方向である。
【００６７】
図７（Ａ）は、この端子板２１０を、２個のＭ固定接点端子２３０および２４０の嵌合挿入側の面２１０ａ（図６（Ａ）に示した面２１０ｂとは反対側）から見た正面図である。図７（Ｂ）は図７（Ａ）におけるＣ−Ｃ断面図、図７（Ｃ）は図７（Ａ）におけるＤ−Ｄ断面図、図８（Ａ）は図７（Ａ）におけるＡ−Ａ断面図、図８（Ｂ）は図７（Ａ）におけるＢ−Ｂ断面図、図８（Ｃ）は図７（Ａ）におけるＥ−Ｅ断面図である。
【００６８】
また、図９（Ａ）は、この端子板２１０の上面図、図９（Ｂ）は、この端子板２１０の側面図、図９（Ｃ）は、この端子板２１０の底面図である。また、図９（Ｄ）は、端子板２１０を本体組立１００と嵌合される面２１０ｂ側から見た裏面図である。
【００６９】
図７（Ａ）に示すように、端子板２１０には、後述する２個のＭ固定接点端子２３０、２４０に設けられる嵌合突板部が圧入嵌合される嵌合凹部２１１、２１２、２１３、２１４が設けられる。これら嵌合凹部２１１〜２１４は、図７Ｂ，Ｃ，および図８（Ｂ）に示すように、袋小路状の凹部である。この例の場合、嵌合凹部２１１および２１２は、Ｍ固定接点端子２３０の嵌合用であり、嵌合凹部２１３および２１４は、Ｍ固定接点端子２４０の嵌合用である。
【００７０】
また、この端子板２１０の面２１０ｂ側には、本体組立１００と組み合わせられるときに、ぶつかり合わないようにするための逃げ部が形成されている。すなわち、この面２１０ｂ側には、本体組立１００の巻線１１３の部分が位置する凹部２１５が形成されると共に、図７（Ｃ）、図８（Ｃ）および図９（Ｄ）に示すように、巻線１１３の巻き始め端と巻き終わり端が接続される巻線端子１１２の突部１１２ｅ，１１２ｆの部分を収めるための凹部２１６ａ，２１６ｂが形成されている。
【００７１】
端子板２１０の主要な板部の高さｈ３（図７（Ａ）参照）は、巻枠１１１の高さ（鍔部１１１ｃの底部から鍔部１１１ｂの上面までの長さ）よりも短いものとされて、後述もするように、可動接点や固定接点が位置する部分には、この端子板２１０の前記嵌合凹部２１１〜２１４が形成される主要な板部は位置しないようにされている。
【００７２】
しかし、前述したように、端子板２１０には、鍔部１１１ｂの突部１１１ｆおよび鍔部１１１ｃの突部１１１ｇと嵌合する部分を形成する必要があるため、端子板２１０の、その主要な板部の端面２１０ｃから、さらに端子板２１０の高さ方向に突出する突出壁部２１７が設けられる。
【００７３】
この突出壁部２１７の部分での端子板２１０の高さｈ４（図７（Ａ）参照）は、鍔部１１ｂと鍔部１１ｃとの距離よりも若干長いものとされる。そして、図７（Ａ）に示すように、この突出壁部２１７の先端部近傍の面２１０ｂ側には、巻枠１１１の鍔部１１１ｂの突部１１１ｆと嵌合するための凹部２１８が設けられる。この例では、鍔部１１１ｂの突部１１１ｆは、鍔部１１１ｂの横方向の中央部に設けられるため、突出壁部２１７も、端子板２１０の横方向（高さ方向に直交する方向）の中央部に形成される。
【００７４】
また、端子板２１０の底部の面２１０ｂ側には、巻枠１１１の鍔部１１１ｃ側に設けられた突部１１１ｆが嵌合する透孔２１９ａを備える嵌合突片２１９が設けられる。この嵌合突片２１９は、薄いコ字状の板状片が端子板２１０の高さ方向の底部から、端子板２１０の板面に直交する方向に突出するように設けられたもので、この嵌合突片２１９の板面方向に直交する方向に弾性偏倚が可能である。
【００７５】
そして、この実施の形態では、端子板２１０の面２１０ａ側には、嵌合凹部２１１および２１２に嵌合されたＭ固定接点端子２３０と、嵌合凹部２１３および２１４に嵌合されたＭ固定接点端子２４０とを、互いに分離するように、端子板２１０の高さ方向に延長して設けられた突条２２１が形成される。
【００７６】
この突条２２１は、この例では、面２１０ａから一定の高さを有する断面が矩形のもので、この例では、２個のＭ固定接点端子２３０および２４０を分離するようにするため、突条２２１は、端子板２１０の横方向（高さ方向に直交する方向）の中央部に形成される。したがって、突条２２１は、この例では、突出壁部２１７の面２１０ａ側の面にも延長されて形成されている。
【００７７】
そして、この突条２２１の面２１０ａからの高さｄは、カバー４００内に、電磁継電器本体３００が挿入されたときに、突条２２１の高さ方向の端面２２１ａが、図１０（Ａ）およびその一部断面図である図１０（Ｂ）に示すように、カバー４００の内壁面４０１に、隙間無く当接するような高さとされる。
【００７８】
また、この突条２２１の端面２２１ａには、細溝２２２が、端子板２１０の高さ方向に、突条２２１の全長に渡って形成されている。この細溝２２２は、図９（Ｃ）に示すように、端子板２１０の底面からも臨むことができるようになっている。このため、カバー４００内に電磁継電器本体１００が挿入されると、カバー４００と突条２２１との当接によって、当該細溝２２２は細管となり、鍔部１１１ｃ側にシール材が注入されてシールされるときに、シール材が、前記細管内に毛細管現象によって注入されると期待される。
【００７９】
さらに、この実施の形態では、突出壁部２１７内には、前記細溝２２２に連通して、端子板２１０の高さ方向に、袋小路状の深溝２２３が形成されている。この深溝２２３には、後述するバックストップ２５０が圧入嵌合される。この深溝２２３の形状は、後述するバックストップ２５０の形状に合わせて、鉤型に形成されている。
【００８０】
端子板２１０に嵌合されるＭ固定接点端子２３０および２４０は、全く同一形状を備えるもので、詳細には、図１１に示すようなものである。なお、図１１は、Ｍ固定接点端子２３０について記載したもので、各部は２３０番台の番号を付して示してある。Ｍ固定接点端子２４０の場合には、対応する２４０番台の番号で示される各部を備えるものである。また、バックストップ２５０は、図１２に示すようなものである。
【００８１】
図１１（Ａ），（Ｂ），（Ｃ）は、それぞれＭ固定接点端子２３０の上面図、正面図、側面図である。また、図１２（Ａ），（Ｂ），（Ｃ）は、それぞれバックストップ２５０の上面図、正面図、側面図である。
【００８２】
図１１に示すように、Ｍ固定接点端子２３０は、端子板２１０に嵌合したときに、端子板２１０の板面２１０ａに沿う板部２３０ａを備える。そして、この板部２３０ａの延長部分として、端子板２１０の底部から、端子板２１０の板面２１０ａに沿う方向に突出する外部端子部２３１が形成されている。
【００８３】
そして、Ｍ固定接点端子２３０の板部２３０ａの、外部端子部２３１側とは反対側は、板部２３０ａに直交する方向に折り曲げられた板部２３０ｂとされており、この板部２３０ｂには、導電金属からなるＭ固定接点２３２が形成されている。
【００８４】
そして、板部２３０ａの中間部の位置には、前記端子板２１０の嵌合凹部２１１、２１２に圧入嵌合される嵌合突板部２３３および２３４が、板部２３０ａに直交する方向に設けられる。この場合、嵌合突板部２３３と、板部２３０ｂとの間の距離ｈ６（図１１（Ｃ）参照）は、端子板２１０の嵌合凹部２１１の位置から、端子板２１０の端縁２１０ｃまでの距離ｈ５（図７（Ａ）参照）よりも大きく選定されている。
【００８５】
また、図１２に示すように、バックストップ２５０は、突出壁部２１７の深溝２２３内に圧入される板部２５１と、この板部２５１の延長部分として、板部２５１に直交する方向に折り曲げられた板部２５２とを備える。
【００８６】
そして、板部２５１は、図１２（Ｂ）に示すように、突出壁部２１７の深溝２２３の形状に応じた鉤型形状を有すると共に、この板部２５１には、突出壁部２１７の深溝２２３内に圧入されたときにバックストップ２５０を確実に係止させるために、膨出部２５３が形成されている。
【００８７】
また、板部２５２には、可動接点ばね１３１に設けられた可動接点１３１ｃが衝合する衝合部２５４が形成される。この衝合部２５４は、板部２５２の一部が板部２５１側に膨出するように板部２５２が成形されることにより形成されている。
【００８８】
そして、Ｍ固定接点端子２３０の嵌合突板部２３３、２３４が、端子板２１０の嵌合凹部２１１、２１２に圧入嵌合されることにより、端子板２１０にＭ固定接点端子２３０が固定される。また、Ｍ固定接点端子２４０は、前述したように、Ｍ固定接点端子２３０と全く同一の構造のものであるので、その嵌合突板部が、端子板２１０の嵌合凹部２１３、２１４に圧入嵌合されることにより、端子板２１０にＭ固定接点端子２４０が固定される。
【００８９】
さらに、バックストップ２５０は、板部２５１が、端子板２１０の突出壁部２１７の深溝２２３内に圧入されることにより、端子板２１０に固定される。そして、これらのＭ固定接点端子２３０，２４０およびバックストップ２５０が端子板２１０に取り付けられることにより、端子板組立２００が形成される。
【００９０】
この端子板組立２００を、端子板２１０の板面２１０ａ側から見た図を、図１３に示す。前述したように、端子板２１０の嵌合凹部２１１の位置から、主要板部の高さ方向の端縁２１０ｃまでの距離ｈ５よりも、Ｍ固定接点端子２３０の嵌合突板部２３３の位置から、Ｍ固定端子２３２が形成されている板部２３０ｂまでの距離ｈ６の方が大きく（ｈ５＜ｈ６）選定されている。このため、Ｍ固定接点端子２３０が端子板２１０に嵌合されて固定されたときには、この図１３に示すように、Ｍ固定接点端子２３０の板部２３０ｂと端子板２１０の主要板部の端縁２１０ｃとは、端子板２１０の高さ方向に離れた状態にある。
【００９１】
Ｍ固定接点端子２４０も、同様にして、端子板２１０に嵌合されて固定されたときには、Ｍ固定接点端子２４０のＭ固定接点２４２は、端子板２１０の主要な板部の端縁２１０ｃから、端子板２１０の高さ方向に、所定距離だけ離れた状態になる。そして、バックストップ２５０の衝合部２５４が、Ｍ固定接点端子２３０の固定接点２３２の上方に位置する状態になる。
【００９２】
なお、図１３において、仮想的に示すように、可動接点ばね１３１に設けられる可動接点１３１ｄが、バックストップ２５０と、Ｍ固定接点２４２との間の空間に配置されるようにされ、可動接点１３１ｃ，１３１ｄが、Ｍ固定接点２３２および２４２に対向するように設けられる配置される。
【００９３】
可動接点１３１ｄは、電磁石が励磁されないときには、バックストップ２５０に衝合して、位置規制される。可動接点１３１ｃ側には、バックストップは、設けられないが、可動接点１３１ｃおよび可動接点１３１ｄは、共に可動接点ばね１３１に取り付けられているため、可動接点１３１ｄが、バックストップ２５０により位置規制されると、それに応じて可動接点１３１ｃも位置規制されるものである。
【００９４】
以上説明したように、Ｍ固定端子２３２、２４２およびバックストップ２５０の高さ位置近傍には、樹脂からなる端子板２１０の部分は、突出壁部２１７を除いては存在しない。つまり、電磁継電器の動作中に可動接点とＭ固定接点を通じて過大電流が流れて、発熱しても、接点部近傍には、これらを固着してしまうような端子板２１０の樹脂がほとんど存在しない。
【００９５】
また、端子板２１０へのＭ固定接点端子２３０，２４０の圧入嵌合時、嵌合突板部２３３，２３４および嵌合突板部２４３，２４４が嵌合凹部２１１〜２１４内の部分を削るために、その削り屑が発生する場合があるが、嵌合凹部２１１〜２１４は、袋小路になっているために、その削り屑は嵌合凹部２１１〜２１４内に留まり、外部に巻散る心配はない。したがって、削り屑が接点部に付着して、接点部不良を生じるおそれがほとんどなくなる。
【００９６】
以上のようにして形成された端子板組立２００が、本体組立１００と組み合わせられることにより、電磁継電器本体３００が形成される。すなわち、図１に示したように、この端子板組立２００の前記凹部２１５ａ内に、本体組立１００の巻線１１３部分が位置し、可動接点ばね１３１の先端の可動接点１３１ｃ、１３１ｄが、端子板組立２００のＭ固定接点２３０，２４０と対向させる状態で嵌合させて、電磁継電器本体３００を形成する。
【００９７】
このとき、端子板組立２００の端子板２１０の前記凹部２１６ａ、２１６ｂ内に、本体組立１００の巻線端子１１２の突部１１２ｆ，１１２ｇが収納される状態で、本体組立１００の巻枠１１１の鍔部１１１ｂの突部１１１ｇが、端子板組立２００の突出壁部２１７の凹部２１８に嵌合し、かつ、本体組立１００の巻枠１１１の鍔部１１１ｃの突部１１１ｆが、端子板組立２００の突板部２１９の透孔２１９ａ内に嵌合して係止するようにして、本体組立１００と、端子板組立２００とを嵌合させるものである。
【００９８】
嵌合状態では、可動接点ばね１３１の偏倚力により、可動接点１３１ｄは、バックストップ２５０の衝合部２５４に衝合する状態となる。そして、巻線１１３に電流が流れる電磁継電器が動作状態では、電磁石により接極子１３２が鉄心１２１側に吸引されて、可動接点１３１ｃ，１３１ｄは、Ｍ固定接点２３２、２４２に接続される。
【００９９】
そして、電磁継電器本体３００が、ケース４００内に挿入され、シール材によりシールされることにより、電磁継電器が完成となる。このとき、図１０（Ｂ）に示したように、シール材の一部は、カバー４００の内壁面４０１と、突条２２１の細溝２２２とで形成される細管２２３に、毛細管現象によって入り込む。
【０１００】
図１０（Ａ）および（Ｂ）に示したように、カバー４００内に、電磁継電器本体３００が挿入されたときには、端子板２１０に設けられている突条２２１の端面２２１ａが、カバー４００の内壁面４０１に当接して、Ｍ固定接点端子２３０の板部２３０ａと、Ｍ固定接点端子２４０の板部２４０ａとは、突条２２１と、カバー４００の内壁面とにより仕切られた別空間（別室）に存在するようにされるので、可動接点１３１ｃ，１３１ｄが、Ｍ固定接点２３２や２４２、また、バックストップ２５０の衝合部２５４と照合したときに、金属屑が発生しても、その金属屑により、２個のＭ固定接点端子２３０，２４０間が電気的に短絡してしまうような事態は生じない。
【０１０１】
以上のように構成した、この実施の形態の電磁継電器は、本体組立１００と、端子板組立２００との別部品を嵌合させて、電磁継電器本体を形成するようにしたので、コイルによる発熱と、接点端子を介して過大電流が流れることによる発熱とを分離することができる。そして、端子板組立２００を、本体組立１００と別体として、固定接点端子２３０，２４０は、巻枠１１１に取り付けず、端子板２１０に取り付け、しかも、固定接点端子２３０および２４０の固定接点２３２および２４２の近傍には、端子板２１０を構成する樹脂部分をできるだけ存在させない構成にしたので、樹脂の溶解により、可動接点１３１ｃおよび／または１３１ｄと、Ｍ固定接点２３２および／または２４２との接続状態で固着されてしまうおそれがほとんどない。
【０１０２】
したがって、電磁継電器本体３００の巻線１１３にドライブ電流が流れ、可動接点１３１ｃ、１３１ｄが、Ｍ固定接点２３２，２４２と接続されている状態において、過大電流が流れて、発熱による結果、コイルレアショートが生じたときには、可動接点１３１ｃ，１３１ｄは、バックストップ２５０側に復帰する。すなわち、電磁継電器の故障モードは、「オフモード」になる。このため、電磁継電器が故障の後にも過大電流が流れ続けるのを防止することが可能となる。
【０１０３】
また、端子板２１０への固定接点端子２３０および２４０の圧入嵌合は、端子板２１０に設けた袋小路状の凹部２１１〜２１４内へ、固定接点端子２３０および２４０の突板部２３３，２３４および２４３，２４４を圧入するものであるので、圧入時の削り屑は凹部２１１〜２１４内に留まる。このため、固定端子２３０，２４０と可動接点１３１ｃ、１３１ｄ間に、削り屑が付着することはほとんどなくなり、ごみの付着による接点の接触不良障害の発生が少なくなる。
【０１０４】
また、端子板２１０に取り付けられた複数個の固定接点端子は、端子板２１０に設けられた突条２２１と、カバー４００の内壁面４０１とにより、仕切られるため、複数個の固定接点端子間が電気的に短絡されてしまうような事態を防止することができる。
【０１０５】
［他の実施の形態］
また、上述の実施の形態の電磁継電器は、２個のＭ固定接点端子を設けた２個の接点組における固定接点端子の電気的絶縁を保持する場合であったが、この発明は、１組の接点組のＢ固定接点端子と、Ｍ固定接点端子との電気的絶縁を保持する場合にも適用できる。
【０１０６】
この例の電磁継電器は、上述した実施の形態の電磁継電器においては、本体組立１００の可動接点ばね１３１の構造を若干変更し、端子板組立２００においては、Ｍ固定接点端子２３０の代わりにＢ固定接点端子２６０を用いると共に、バックストップ２５０を除去する構成とすることにより実現できる。
【０１０７】
すなわち、この例では、可動接点ばね１３１は、そのＹ字型先端のうち、可動接点１３１ｃが形成される側部分は切除し、可動接点１３１ｄの部分のみを残すようにする。また、バックストップ２５０は用いない。そして、Ｍ固定接点端子２３０の代わりに、図１４に示すようなＢ固定接点端子２６０を用いる。
【０１０８】
図１４（Ａ），（Ｂ），（Ｃ）は、それぞれＢ固定接点端子２６０の上面図、正面図、側面図である。
【０１０９】
図１４に示すように、このＢ固定接点端子２６０は、端子板２１０に嵌合したときに、端子板２１０の板面２１０ａに沿う板部２６０ａを備える。そして、この板部２６０ａの延長部分として、端子板２１０の底部から、端子板２１０の板面２１０ａに沿う方向に突出する外部端子部２６１が形成されている。
【０１１０】
Ｂ固定接点端子２６０の板部２６０ａの、外部端子部２６１側とは反対側は、板部２６０ａに直交する方向に折り曲げられた板部２６０ｂとされており、この板部２６０ｂには、導電金属からなるＢ固定接点２６２が形成されている。
【０１１１】
そして、板部２６０ａの中間部の位置には、前記端子板２１０の嵌合凹部２１１、２１２に圧入嵌合される嵌合突板部２６３および２６４が、板部２６０ａに直交する方向に設けられる。
【０１１２】
この場合、板部２６０ｂは、端子板２１０に取り付けられたときに、Ｂ固定接点２６２が、前述の実施の形態におけるバックストップ２５０の衝合部２５４の位置になるように構成されている。
【０１１３】
すなわち、嵌合突板部２６３と、板部２６０ｂとの間の距離ｈ７は、図１４（Ｃ）に示すように、端子板２１０の嵌合凹部２１１の位置から、端子板２１０の端縁２１０ｃまでの距離ｈ５（図７（Ａ）参照）よりも大きく、かつ、Ｍ固定接点端子２４０の嵌合突板部２４３と、板部２４０ｂとの間の距離ｈ６（図１１（Ｃ）参照）よりも大きく選定されている。また、板部２６０ｂは、このＢ固定接点端子２６０が端子板２１０に装着されたときに、Ｂ固定接点２６２が、前述の実施の形態におけるバックストップ２５０の衝合部２５４の位置になるように、端子板２１０の面２１０ａに平行な方向に延長されている。
【０１１４】
そして、Ｂ固定接点端子２６０の嵌合突板部２６３、２６４が、端子板２１０の嵌合凹部２１１、２１２に圧入嵌合されることにより、端子板２１０にＢ固定接点端子２６０が固定される。また、Ｍ固定接点端子２４０は、前述の実施の形態と同様に、その嵌合突板部２４３，２４４が、端子板２１０の嵌合凹部２１３、２１４に圧入嵌合されることにより、端子板２１０に固定される。
【０１１５】
以上により、この例の場合の端子板組立２００が形成される。この例の端子板組立２００を、端子板２１０の板面２１０ａ側から見た図を、図１５に示す。この図１５に示すように、Ｂ固定接点端子２６０の固定接点２６２と、Ｍ固定接点端子２４０の固定接点２４２とが対向すると共に、可動接点１３１ｄが、それら固定接点２６２と２４２との間に位置する状態になる。
【０１１６】
そして、この例の場合には、Ｂ固定接点端子２６０と、Ｍ固定接点端子２４０との間には、突条２２１が存在して、上述の実施の形態と全く同様の作用効果が得られるものである。
【０１１７】
なお、複数の固定接点端子の絶縁を確保するための構成としては、上述の例に限られるものではない。例えば、図１０（Ｃ）に示すように、カバー４００の内壁面４０１に、端子板２１０の突条２２１の細溝２２２に対応して嵌合する細条４０２を設けておき、電磁継電器本体３００をカバー４００内に挿入したときに、端子板２１０の突条２２１の細溝２２２内に、カバー４００の内壁面４０１の細条４０２が挿入嵌合するようにする構成とすることもできる。その場合には、端子板２１０の突条２２１の端面２２１ａは、カバー４００の内壁面４０１に、特に当接していなくてもよい。
【０１１８】
また、図１０（Ｄ）に示すように、カバー４００の内壁面４０１に細溝４０３を設け、端子板２１０側に、その細溝４０３内に嵌合する細条２２４を設けるようにしてもよい。その場合に、図１０（Ｄ）の例のように、端子板２１０の突条２２１に細条２２４をさらに設けるようにしてもよいし、突条２２１自身を、カバー４００の内壁面４０１の細溝４０３に嵌合する細条２２４とするようにしてもよい。
【０１１９】
また、図１０（Ｅ）に示すように、端子板２１０の突条２２１を、段差部２２５を有する形状にし、一方、カバー４００には、この段差部２２５に係合する突部４０４を設ける構成とすることもできる。その場合に、図１０（Ｅ）のように、段差部２２５と突部４０４の形状を、両者を正確に対応させて係合させる形状とする必要はなく、要は、複数個の固定接点端子を、互いに空間的に仕切ることができればよい。
【０１２０】
さらに、端子板２１０の面２１０ａには、凹溝を設け、カバー４００の内壁面に、この凹溝に嵌合する突条を設けるようにしてもよい。
【０１２１】
また、以上の実施の形態では、２個の固定接点端子を互いに分離して仕切るようにする場合であったが、端子板に対して３個以上の固定接点端子を設ける場合において、それら３個以上の固定接点端子を互いに分離して仕切るようにする場合にも、同様にこの発明が適用できることは勿論である。
【０１２２】
また、以上の実施の形態は、電磁石組立が一つの場合の例であったが、先に提案した例として示したような複数個の電磁石組立を、一つの端子板組立に対して嵌合させて、電磁継電器組立を形成する場合にも、この発明が適用できることは言うまでもない。
【０１２３】
【発明の効果】
以上説明したように、この発明によれば、本体組立と、端子板組立とを嵌合させて組み合わせて電磁継電器本体を形成することにより、巻線への過電流による異常発熱発生時の問題を解決すると共に、端子板組立として、端子板に複数個の固定接点端子を嵌合することにより、削り屑の発生を防止できるようにした電磁継電器において、可動接点が固定接点と接触することにより発生する金属屑が、複数個の固定接点端子の金属板部間を橋渡しして短絡させるような事態を生じさせないようにすることができる。
【図面の簡単な説明】
【図１】この発明による電磁継電器の一実施の形態の概略構造を説明する分解斜視図である。
【図２】この発明による電磁継電器の一実施の形態における巻線組立を説明するための分解斜視図である。
【図３】図２の巻線組立に用いられる巻枠を説明するための図である。
【図４】この発明による電磁継電器の一実施の形態における電磁石組立を説明するための分解斜視図である。
【図５】この発明による電磁継電器の一実施の形態における本体組立を説明するための分解斜視図である。
【図６】この発明による電磁継電器の一実施の形態における端子板組立を説明するための分解斜視図である。
【図７】この発明による電磁継電器の一実施の形態における端子板を説明するための図である。
【図８】この発明による電磁継電器の一実施の形態における端子板を説明するための図である。
【図９】この発明による電磁継電器の一実施の形態における端子板を説明するための図である。
【図１０】この発明による電磁継電器の要部の説明のための図である。
【図１１】この発明による電磁継電器の一実施の形態における固定接点端子を説明するための図である。
【図１２】この発明による電磁継電器の一実施の形態におけるバックストップを説明するための図である。
【図１３】この発明による電磁継電器の実施の形態における端子板組立２００を説明するための図である。
【図１４】この発明による電磁継電器の他の実施の形態で用いる固定接点端子を説明するための図である。
【図１５】この発明による電磁継電器の他の実施の形態における端子板組立２００を説明するための図である。
【図１６】先に提案した電磁継電器の一実施の形態の概略構造を説明する分解斜視図である。
【図１７】先に提案した電磁継電器の一実施の形態における端子板組立を説明するための分解斜視図である。
【図１８】先に提案した電磁継電器の一実施の形態における端子板を説明するための図である。
【図１９】先に提案した電磁継電器の一実施の形態における端子板を説明するための図である。
【図２０】先に提案した電磁継電器の一実施の形態における固定接点端子を説明するための図である。
【図２１】先に提案した電磁継電器の一実施の形態における固定接点端子を説明するための図である。
【図２２】先に提案した電磁継電器の一実施の形態における端子板組立を説明するための図である。
【符号の説明】
１００  巻線組立
１１１  巻枠
１１１ａ  巻線巻回部
１１１ｂ，１１１ｃ  鍔部
１１２  巻線端子
１１３  巻線
１２０  電磁石組立
１２１  鉄心
１２２  継鉄
１３１  可動接点ばね
１３１ｃ、１３１ｄ  可動接点
１３２  接極子
２１０  端子板
２１１〜２１４  嵌合凹部
２２１  突条
２３０，２４０  Ｍ固定接点端子
１００  本体組立
２００  端子板組立
３００  電磁継電器本体
４００  カバー
【図１】
0003898021.tif 000002
【図２】
0003898021.tif 000003
【図３】
0003898021.tif 000004
【図４】
0003898021.tif 000005
【図５】
0003898021.tif 000006
【図６】
0003898021.tif 000007
【図７】
0003898021.tif 000008
【図８】
0003898021.tif 000009
【図９】
0003898021.tif 000010
【図１０】
0003898021.tif 000011
【図１１】
0003898021.tif 000012
【図１２】
0003898021.tif 000013
【図１３】
0003898021.tif 000014
【図１４】
0003898021.tif 000015
【図１５】
0003898021.tif 000016
【図１６】
0003898021.tif 000017
【図１７】
0003898021.tif 000018
【図１８】
0003898021.tif 000019
【図１９】
0003898021.tif 000020
【図２０】
0003898021.tif 000021
【図２１】
0003898021.tif 000022
【図２２】
0003898021.tif 000023